(57)【要約】【課題】表面を傷付けることなく紙パックを容器から出し入れ可能に仕切り付き運搬用容器を構成する。【解決手段】底板（２）の上面に縦横に交差する仕切り片（５、６）が突設された仕切り付き運搬用容器において、縦横の仕切り片（５、６）の高さを、その交差部分（７）を最も低く設けるとともに、交差部（７、７）の間の中間部分（５ａ、６ａ）を最も高く設けて、仕切り片（５、６）を上端が波形を呈する形状に形成する。【選択図】図１
2009292481.tif 000002
【特許請求の範囲】
【請求項１】
底板上面に縦横に交差する仕切り片が突設された運搬用容器において、
前記縦横の仕切り片は、その高さが交差部分が最も低く、交差部と交差部の間、又は交差部と側板内面との間の中間部分を最も高く設けてあることを特徴とする仕切り付き運搬用容器。
【請求項２】
縦横の仕切り片で区画される領域をその縦横寸法が略同じ〔Ａ〕となるように対向仕切り片の設置間隙を設定し、底面における縦横寸法が同じ〔Ａ〕である紙パック用の収納容器として構成された請求項１に記載の仕切り付き運搬用容器。
【請求項３】
底板上面に紙パックが縦３列、横４列に立て並べて収納されるように構成された請求項２に記載の仕切り付き運搬用容器。
【請求項４】
縦仕切り片を底板上面における横３列目と４列目に収納される紙パックの隣接間隙に沿った位置にのみ設け、横仕切り片を底板上面における縦１列目と２列目に収納される紙パックの隣接間隙に沿った位置にのみ設けた構成を有する請求項３に記載の仕切り付き運搬用容器。
【発明の詳細な説明】
【技術分野】
【０００１】
本発明は、飲料用容器、特に牛乳や乳飲料、ジュースなどが充填された紙パックを収納し運搬するのに好適な合成樹脂製の運搬用容器に関する。
【背景技術】
【０００２】
飲料水が充填されたガラス瓶などの飲料容器を運搬する場合、搬送中の衝撃を与えずに飲料容器を保護するため、図７に示されるように、底板上面が仕切り片１０１で格子状に仕切られた運搬用容器１００が用いられている。
このような仕切り付きの運搬用容器１００では、飲料容器Ｂを充填機で容器内部に挿入する際に飲料容器Ｂが仕切り片１０１で区画された領域の中央に誘導されるようにするため、同図（Ｂ）に示されるように、縦横の仕切り片１０１の交差部１０１ａよりも仕切り片１０１の中央部１０１ｂが低くなるように形成されている（例えば特許文献１参照）。
【０００３】
一方、牛乳パックなどの紙パックは、缶やプラスチックなどからなる容器と比較して内外圧に対する耐性が低く、運搬車両の積載棚に積んで搬送した際に車両が揺れて紙パックが倒れたり紙パック同士がぶつかったりすると、その衝撃でパック表面が凹んで傷が付いたりパックの底の重合シール部分に隙間ができて内容液が漏れ出たりする虞れがある。
そのため、例えば横断面が約７０ｍｍ角で内容量が１０００ｍｌのサイズの紙パックの運搬には、図８に示されるような、１２個単位で紙パックＰを隙間を開けずに収納可能な紙パック専用の容器１０２が用いられ、当該容器の内部に紙パックＰを縦３列、横４列に立て並べて梱包し、容器内周面全体で収納された紙パックＰを揺動不能に保持して搬送中の衝撃が加わらないようしている（例えば特許文献２参照）。
【０００４】
【特許文献１】特開２００１−１０６２７１号公報
【特許文献２】特開平１０−８６９４２号公報
【発明の開示】
【発明が解決しようとする課題】
【０００５】
図示した紙パック専用の容器１０２は、その内部に紙パックＰが隙間なく収納されるので、搬送中に紙パックＰが倒れてパックの底が破損するようなことはなく、紙パックＰをまとめて安全に運搬することが可能である。
しかし、この容器１０２では、１２個の紙パックＰを一単位としてまとめて運搬するのには都合が良いものの、紙パックＰが端数の場合は、それらを容器１０２に収納すると不足本数分の隙間ができ、搬送中の揺れで紙パックＰが倒れて容器内面に衝突し、或いは紙パックＰ同士がぶつかり合うことを防止することができない。
【０００６】
この場合、容器１０２の内部に紙パックＰを個別に仕切る仕切り片を設ければ、端数の紙パックＰを揺らしたり収納位置をずらしたりすることなく運搬することが可能となるが、その反面、容器内部に仕切り片があると、仕切り片で区画された領域内に紙パックＰを出し入れする際に、紙パックＰの表面、特にパックの底部を、仕切り片と衝突させたり引っ掛けたりして破損させ、そこから液漏れさせてしまい易かった。
そのため、現状、紙パックＰの運搬に仕切り付き容器は用いられておらず、紙パックＰの運搬には、前記図８に示された、１２個の紙パックＰをまとめて収納する専用の容器１０２が用いられ、端数の紙パックＰは緩衝材を入れた別の容器の中に寝かせて収納するなど、補助資材を用いて運搬するようにしていた。
【０００７】
本発明は従来技術の有するこのような問題点に鑑み、紙パックの運搬に利用される容器において、容器内部に紙パックを個別に挿入する仕切り片を設けて端数の紙パックを収納して運搬できるようにするとともに、紙パックを容器から出し入れする際に紙パックの表面を傷付けずに、仕切り片で区画された領域内に確実に収納して安全に且つ手間をかけずに運搬することができるようにすることを課題とする。
【課題を解決するための手段】
【０００８】
この種の仕切り付き運搬用容器は、前記図７に示される如く、仕切り片１０１の中央部１０１ｂを低く交差部１０１ａを高く設けてあるが、これを紙パックの運搬に用いた場合、紙パックの底部を破損させ易い。
これは、充填機により自動で或いは手作業で紙パックを容器に収納する際に、紙パックの底部コーナー部が仕切り片の交差部に衝突し、紙パックを下方へ押し込む力が加わることと相俟って底部コーナー部に大きな衝撃が加わり、また、容器に収納された紙パックを取り出す際に、紙パックを斜めに引き抜くと底部コーナー部が仕切り片の交差部に衝突して衝撃が加わり、そして、内容液が充填された紙パックは、その四側面内壁に横方向の圧力、底部には下方向の圧力がかかり、且つ紙自体はあまり伸縮しない素材であることから、紙パックの四側面と底部のコーナー部に応力が集中し、小さな外圧や衝撃が加わっても変形を来たし易いからである。
一方、紙パックの表面で外圧や衝撃を受けても変形し難い箇所はその四側面の略中央部であり、よって、紙パックを容器から出し入れする際に仕切り片が前記四側面の略中央部に当たるようにすれば、仕切り片との衝突によって紙パックが受けるダメージは抑えられ、底部の破損は防止できると考えられる。
【０００９】
本発明はかかる知見に基づきなされたものであり、底板上面に縦横に交差する仕切り片が突設された仕切り付き運搬用容器において、前記縦横の仕切り片の高さを、その交差部分を最も低く設けるとともに、交差部と交差部の間、又は交差部と側板内面との間の中間部分を最も高く設けてあることを特徴とするものである。
【００１０】
これによれば、充填機などで紙パックを容器に収納する際、仕切り片で区画された領域の上方から紙パックを下方へ移動させれば、先ず紙パックの四側面の中央部に仕切り片の先端が各々当接して紙パックの挿入位置が位置決めされ、紙パックをそのまま下降させれば、前記領域内に紙パックを正確に挿入することができる。
この場合に、紙パックの四側面の中央部が仕切り片の先端に当接して挿入位置が位置決めされるので、仕切り片の交差部に底部コーナー部が衝突することはなく、仮に挿入操作中に紙パックがぶれて仕切り片の交差部に衝突したとしても、既に四側面の中央部に仕切り片が当接している状態であるので、底部コーナー部に加わる衝撃は極めて小さく、底部が破損する程のダメージが紙パックに加わることはない。また、容器に収納された紙パックを取り出すときに、紙パックを斜めに引き抜いたとしても、紙パックはその四側面の中央部に仕切り片を当接させたまま引き抜かれるので、衝撃に対して弱い底部コーナー部が仕切り片に衝突することはなく、底部を破損に至らしめる衝撃が紙パックに加わる虞れはない。
【００１１】
前記構成の容器において、仕切り片で区画された領域内に紙パックを収納した状態で、仕切り片と紙パックの外周面との隙間が大きいと、容器搬送中の振動によって前記領域内で紙パックも振動し、容器上面にぶつかったときの衝撃で底部が破損することがある。
よって、底面における縦横寸法が同じ〔Ａ〕である紙パックに対し、縦横の仕切り片で区画される領域をその縦横寸法が略同じ〔Ａ〕となるように対向仕切り片の設置間隙を設定し、前記紙パック用の収納容器として構成することが好ましい。
このように構成することで、容器に収納した紙パックの四側面には仕切り片が隙間なく接合し、紙パックは仕切り片で揺動不能に保持され、搬送中の揺れで底部に衝撃が加わることを防止することができる。
より確実に紙パックを仕切り片で保持するためには、紙パックの底面における縦横寸法〔Ａ〕と、内溶液が充填されて液圧で四側面が胴膨れしている状態の最大寸法〔Ａ＋α〕に対し、〔Ａ〕＜（対向仕切り片の設置間隙）≦〔Ａ＋α〕の範囲に設定することが好ましい。
【００１２】
また、紙パック用の収納容器として構成する場合に、容器の底板上面に紙パックが縦３列、横４列に立て並べて収納される大きさに構成することできる。この場合、底板上面には、縦横に立て並べた各紙パックが個別に仕切られるように、仕切り片を格子状に設けることができる。
また、仕切り片を格子状に設けずに、縦仕切り片を底板上面における横３列目と４列目に収納される紙パックの隣接間隙に沿った位置にのみ設けるとともに、横仕切り片を底板上面における縦１列目と２列目に収納される紙パックの隣接間隙に沿った位置にのみ設けた構成としてもよい。これによれば、一対の縦横の仕切り片で区画された各領域に、端数の紙パックを揺動不能に保持して運搬することが可能である。
【００１３】
なお、本発明の仕切り付き運搬用容器は、ポリプロピレンやポリエチレンなどの合成樹脂材を用いて射出成形法により成形することができ、また、横断面が正方形の紙パックの他に横断面が矩形の紙パック、その他紙パック以外の物品であって、底部の剛性が低く損傷し易い適宜な物品を収納して運搬するための容器にも適用可能である。
【発明を実施するための最良の形態】
【００１４】
本発明の好適な一実施形態を図面を参照して説明する。
図１は本発明の運搬用容器の一実施形態の斜視図と側板を破断した内部透視図、図２は図１の容器を上方から見たときの底板上の仕切り片の設置位置を示した図、図３は図１の容器における仕切り片で区画された領域内に紙パックを挿入する状態を示した図、図４は内溶液が充填された紙パックＰを側面と底面から見たときのパックの膨らみを表した図、図５は本発明の他の実施形態の運搬用容器の側板を破断した内部透視図、図６は図５の容器を上方から見たときの底板上の仕切り片の設置位置を示した図である。
【００１５】
図１〜図４に示された容器１は、横断面が約７０ｍｍ角〔Ａ〕で容量が１０００ｍｌのレギュラータイプの紙パックＰの運搬用容器として構成されたものであり、この容器１は、平面視矩形を呈する底板２の周囲に短手側板３、３と長手側板４、４を略垂直に立ち上げて上面を開口した有底箱型に形成されているとともに、底板２の上面には互いに交差する三つの縦仕切り片５と二つの横仕切り片６とが適宜な高さで一体に突設されて底板２の上面が縦３列、横４列の計１２個の収納領域に仕切られ、各領域内に紙パックＰを個別に立てて収納し、運搬することができるように構成してある。
【００１６】
より詳しくは、図２に示されるように、三つの縦仕切り片５は、各々短手側板３と平行に長手側板４、４の内面間に帯状に連なった薄肉の仕切りであり、底板２の上面上で、その両側の縦仕切り片５、５はそれぞれ短手側板３の内面から約７０ｍｍ〔Ａ〕の間隙を開けた位置、中央の縦仕切り片５は当該両側の縦仕切り片５、５からそれぞれ約７０ｍｍ〔Ａ〕の間隙を開けた位置に各々設置してある。
また、二つの横仕切り片６は、ともに長手側板４と平行に短手側板３、３の内面間に帯状に連なった薄肉の仕切りであり、底板２の上面上で、それぞれ長手側板４の内面から約７０ｍｍ〔Ａ〕の間隙を開け、且つ互いに約７０ｍｍ〔Ａ〕の間隙を開けた位置に設置してある。
そして、これら縦横の仕切り片５、６は、底板２の上面からの突出高さが、その交差部と、交差部の間の部分とで異なるように設けてある。すなわち、図３に示されるように、両仕切り片５、６の上端は、その交差部７で最も低く、交差部７と交差部７の間の中間部５ａ、６ａで最も高くなるように設定されており、湾曲した各中間部５ａ、６ａを頂点として両側の交差部７、７に亘って漸次低くなるように、つまり交差部７、７を挟んでその中央が山型に突出した形状に形成してある。
【００１７】
かかる縦横の仕切り片５、６は、レギュラータイプの紙パックＰを運搬する場合、その厚み（Ｄ）を２ｍｍ程度とし、交差部７の高さ（Ｔ１）を４２ｍｍ程度、中間部５ａ、６ａの高さ（Ｔ２）を５７ｍｍ程度に設定することができる（図３参照）。
また、前述の通り、対向仕切り片間の間隙は約７０ｍｍ〔Ａ〕に設定されるが、縦横の仕切り片５、６で区画される領域内に紙パックＰを挿入した状態で、紙パックＰの外周面と仕切り片５、６との間の隙間が大きいと、搬送中の揺れで紙パックＰが振動してパックの底部を破損させてしまうことがある。一方、容量が１０００ｍｌのレギュラータイプの紙パックＰは、内容液が充填されている状態で、図４に示されるように、内容液の重量がパックの内壁にかかり、胴部下側は液圧により若干膨れて、胴部の断面の最大寸法は７４ｍｍ程度〔Ａ＋α〕となる。よって、紙パックＰの外周面と仕切り片５、６との間の隙間が小さすぎると、紙パックＰを挿入する際にパックの表面を傷付けてしまうことにもなりかねない。
従って、縦横の仕切り片５、６で挿入された紙パックＰを確実且つ安定的に保持するには、対向仕切り片の設置間隙を、紙パックＰの胴部の膨れを考慮して、〔Ａ〕＜（対向仕切り片の設置間隙）≦〔Ａ＋α〕の範囲、具体的には７４．５ｍｍ程度とするのが好ましい。
【００１８】
このように構成された運搬用容器１によれば、図３に示されるように、紙パックＰを収納するため、縦横の仕切り片５、６で区画された領域の上方から紙パックＰを下方へ移動させれば、紙パックＰの四側面の中央部に仕切り片５、６の中間部５ａ、６ａが当接して挿入位置が位置決めされ、紙パックＰをそのまま下降させれば、仕切り片５、６で囲われた領域内の中央に紙パックを正確に挿入することができる。
挿入の際、紙パックＰはその表面で最も強度が大きい四側面の中央に仕切り片５、６の上端が当接し、強度が小さい底部コーナー部に仕切り片５、６が衝突することはないので、紙パックＰを破損させることなく容器１に収納することができる。また、紙パックＰを容器１から取り出す際には、紙パックＰの四側面の中央に仕切り片５、６の上端が当接して引き抜き方向が規制され、仮に紙パックＰを斜めに引き抜いたとしても、当該四側面の中央に衝撃が加わるのみでパックの底部コーナー部に衝撃が加わることはなく、容器１から取り出す操作においても紙パックＰを破損させる虞れはない。
また、仕切り片５、６で囲われた領域内に収納された紙パックＰは、その外周面に仕切り片５、６がぴったりと隙間なく接合して揺動不能に保持され、立設状態のまま振動させることなく、安全に運搬することが可能である
【００１９】
図５及び図６は、他の実施形態の運搬用容器１を示しており、これは、計１２個の紙パックＰを縦３列、横４列に隙間なく立て並べて載せることができるように形成された容器１の底部２の上面に、縦仕切り片５と横仕切り片６をそれぞれ一つづつ突設して底部２上を大きさの異なる四つの領域に区画し、１１個以下の端数の紙パックＰでも容器１に収納して運搬することができるように構成したものである。
【００２０】
より詳しくは、図６に示されるように、底板２の上面は、縦が約２１０ｍｍ〔Ａ×３〕、横が約２８０ｍｍ〔Ａ×４〕の大きさに形成されており、当該上面における横３列目と４列目に収納される紙パックＰの隣接間隙に沿った位置、つまり短手側板３から約７０ｍｍ〔Ａ〕だけ離間した位置に沿って短手側板３と平行に対向長手側板４、４間に縦仕切り片５を設置し、また、縦１列目と２列目に収納される紙パックＰの隣接間隙に沿った位置、つまり長手側板４から約７０ｍｍ〔Ａ〕だけ離間した位置に沿って長手側板４と平行に対向短手側板３、３間に横仕切り片６を設置してある。
また、縦横の仕切り片５、６は、その交差部７と両側板３、４との交差部の高さを最も低く設けるともに、紙パックＰを収納した状態で紙パックＰの側面の略中央部が面する位置を最も高くし、また、パックの側面コーナー部が面する位置を最も低くして、その上端の高さが長手方向に沿って波形に変位する形状に設けてある。なお、両仕切り片５、６の厚みや最も高い部分と低い部分の寸法は前記形態と同様である。
【００２１】
このように構成された運搬用容器１によれば、底板２の上面が縦横の仕切り片５、６で四つの領域に区画され、各々の領域に１個、２個、３個及び６個の紙パックＰを立てて収納することができる。すなわち、図６に示されるように、底板２の上面は、１個の紙パックＰを収納可能な領域（Ｉ）、２個の紙パックＰを収納可能な領域（ＩＩ）、３個の紙パックＰを収納可能な領域（ＩＩＩ）、６個の紙パックＰを収納可能な領域（ＩＶ）に区画されるので、１１個以下の端数の紙パックＰを運搬する場合に、その数に応じて各領域に紙パックＰを収納することにより、各領域内で紙パックＰを立てたまま運搬することが可能である。１２個の紙パックＰを運搬するときは、全ての領域に紙パックＰを収納すればよい。
また、紙パックＰを容器１に出し入れする際に、紙パックＰはその表面で最も強度が大きい四側面の中央部に仕切り片５、６の上端が当接し、強度が小さい底部コーナー部に仕切り片５、６が衝突することはないので、紙パックＰを破損させることなく収納し、取り出すことが可能である。
各領域に収納された紙パックＰは、その外周面に、側板３、４の内面、縦横の仕切り片５、６の表面又は隣接する紙パックＰの外周面がぴったりと隙間なく接合するため、搬送中に容器が揺れても、紙パックＰが倒れたり紙パックＰ同士がぶつかったりするようなことはなく、立設状態に保持したままで紙パックＰを破損させずに安全に運搬することが可能である。
【００２２】
なお、図示した形態では、紙パックを縦３列、横４列に立て並べて収納する容器の構成を示したが、本発明はこれに限定するものではなく、例えば縦横３列づつや、縦４列、横５列など、適宜な数の紙パックを収納する容器として構成することができる。また、底部断面が正方形の紙パックの他に断面が矩形の紙パックを収納する容器として、或いは紙パック以外の容器や瓶体など、適宜な物品を収納する容器として構成することが可能である。
【図面の簡単な説明】
【００２３】
【図１】本発明の運搬用容器の一実施形態の斜視図（Ａ）と側板を破断した内部透視図（Ｂ）である。
【図２】図１の容器を上方から見たときの底板上の仕切り片の設置位置を示した図である。
【図３】図１の容器における仕切り片で区画された領域内に紙パックを挿入する状態を示した図である。
【図４】飲料が充填された紙パックＰを側面（Ａ）と底面（Ｂ）から見たときのパックの膨らみを表した図である。
【図５】本発明の他の実施形態の運搬用容器の側板を破断した内部透視図である。
【図６】図５の容器を上方から見たときの底板上の仕切り片の設置位置を示した図である。
【図７】従来の仕切り付き運搬用容器の外観図斜視図（Ａ）と横断面図（Ｂ）である。
【図８】従来の紙パック運搬用容器の外観図斜視図（Ａ）と横断面図（Ｂ）である。
【符号の説明】
【００２４】
１  運搬用容器、２  底板、３  短手側板、４  長手側板、５  縦仕切り片、６  横仕切り片、７  交差部、Ｐ  紙パック
【図１】
2009292481.tif 000003
【図２】
2009292481.tif 000004
【図３】
2009292481.tif 000005
【図４】
2009292481.tif 000006
【図５】
2009292481.tif 000007
【図６】
2009292481.tif 000008
【図７】
2009292481.tif 000009
【図８】
2009292481.tif 000010